(57)【要約】【課題】  フェルールを保護することができる光コネクタを提供する。【解決手段】  メカニカルスプライス１４により光ファイバ心線１３の光ファイバ１３ａ先端面と接合される内蔵ファイバ１１ａ後端面を内蔵するフェルール１１は、フェルール保護部１２によって先端まで内包されているので、フェルール１１は外部に露出していないことになる。このため、運搬時や搬送時にフェルール１１をぶつけて破損するのを防止することができる。なお、メカニカルスプライス１４はメカニカルスプライス保護部１５で保護されるとともに、メカニカルスプライス１４にはハウジング１６が外嵌されており、この光コネクタ１０に接続されるアダプタ２０はハウジング１６の外側面に設けられている係止部１６ａにより係止されることになる。【選択図】  図１
2006293104.tif 000002
【特許請求の範囲】
【請求項１】
内蔵ファイバを後端部から突出した状態で収納したフェルールと、前記フェルールの先端部を内包するフェルール保護部と、前記フェルールから突出した内蔵ファイバ後端面と光ファイバ心線の光ファイバ先端面とを接続するメカニカルスプライスと、前記メカニカルスプライスを覆うメカニカルスプライス保護部と、前記メカニカルスプライス保護部に外嵌するとともにアダプタを係止する係止部を外側面に有するハウジングとを備えることを特徴とする光コネクタ。
【請求項２】
前記フェルール保護部の先端に、長手方向にスリットを有する円筒形状で前記フェルールに外嵌可能な割りスリーブを有することを特徴とする請求項１に記載の光コネクタ。
【請求項３】
前記ハウジングは、前記係止部が両外側面から外側に突出する突起からなり、さらに前記ハウジングの上面と下面の少なくとも一方に、前記アダプタと嵌合する嵌合部を有することを特徴とする請求項１または請求項２に記載の光コネクタ。
【請求項４】
前記アダプタを係止している前記係止部は、取り外し治具を用いてのみ開放可能であることを特徴とする請求項１から請求項３のいずれかに記載の光コネクタ。
【請求項５】
前記ハウジングは、前記光コネクタを把持するための把持部を有することを特徴とする請求項４に記載の光コネクタ。
【発明の詳細な説明】
【技術分野】
【０００１】
本発明は光コネクタに係り、例えば現地でアダプタを介して相手側光ファイバと結線することができる光コネクタに関するものである。
【背景技術】
【０００２】
従来より、現地でアダプタを介して相手側光ファイバと結線することができる光コネクタが知られている（例えば特許文献１参照）。
図１４に示すように、特許文献１に開示されている光コネクタ１００は、第１光ファイバ１０１を内蔵するフェルール１０２と、このフェルール１０２を支持するスプライス部材１０３と、これらを内包するハウジング１０６とを備えている。スプライス部材１０３では、フェルール１０２の後端面から突き出た第１光ファイバ１０１をスプライス部材１０３の前方から挿入し、光ファイバ心線１０４の先端から剥き出した第２光ファイバ１０５をスプライス部材１０３の後方から挿入して、第１光ファイバ１０１の後端面と、第２光ファイバ１０５の先端面とを接続するものである。なお、ハウジング１０６は、フロントハウジング１０７とリヤハウジング１０８とから構成されている。
【特許文献１】特開平１１−１６０５６３号公報（図１）
【発明の開示】
【発明が解決しようとする課題】
【０００３】
しかしながら、前述したように特許文献１に開示された光コネクタ１００においては、フェルール１０２の先端部１０２ａがフロントハウジング１０７から前方に露出しているので、持ち運びの際や接続作業の際に、フェルール１０２の先端部１０２ａをぶつけてしまう虞がある。
【０００４】
本発明の目的は、フェルールを保護することができる光コネクタを提供することにある。
【課題を解決するための手段】
【０００５】
前述した目的を達成するために、本発明にかかる光コネクタは、内蔵ファイバを後端部から突出した状態で収納したフェルールと、前記フェルールの先端部を内包するフェルール保護部と、前記フェルールから突出した内蔵ファイバ後端面と光ファイバ心線の光ファイバ先端面とを接続するメカニカルスプライスと、前記メカニカルスプライスを覆うメカニカルスプライス保護部と、前記メカニカルスプライス保護部に外嵌するとともにアダプタを係止する係止部を外側面に有するハウジングとを備えることを特徴としている。
【０００６】
このように構成された光コネクタにおいては、メカニカルスプライスにより光ファイバ心線の光ファイバ先端面と接合される内蔵ファイバを内蔵するフェルールは、フェルール保護部によって先端まで内包されているので、フェルールは外部に露出していないことになる。このため、運搬時や搬送時にフェルールをぶつけたり落としたりして破損するのを防止することができる。なお、メカニカルスプライスはメカニカルスプライス保護部で保護されるとともに、メカニカルスプライスにはハウジングが外嵌されており、この光コネクタに接続されるアダプタはハウジングの外側面に設けられている係止部により係止されることになる。
【０００７】
また、本発明にかかる光コネクタは、前記フェルール保護部の先端に、長手方向にスリットを有する円筒形状で前記フェルールに外嵌可能な割りスリーブを有することを特徴としている。
【０００８】
このように構成された光コネクタにおいては、アダプタを介して接続する相手側光コネクタの相手側フェルールを割りスリーブがガイドしてフェルールにつき合わせるので、両フェルールに内蔵されている内蔵光ファイバの心出しを容易に行うことができる。また、割りスリーブによってもフェルールを保護することができる。
【０００９】
また、本発明にかかる光コネクタは、前記ハウジングは、前記係止部が両外側面から外側に突出する突起からなり、さらに前記ハウジングの上面と下面の少なくとも一方に、前記アダプタと嵌合する嵌合部を有することを特徴とする。
【００１０】
このように構成された光コネクタにおいては、ハウジングの両外側に突出する突起によって係止部が形成されているので、容易にアダプタに取付けることができるとともに、アダプタとハウジングとの間の隙間を両側面で埋めてがたつきを抑制して係止することができる。また、係止部が設けられていない上下面の少なくとも一方に設けられている嵌合部が、アダプタの嵌合部に嵌合するので、確実に位置決めするとともに、光コネクタとアダプタとの間のがたつきを防止することができる。
【００１１】
また、本発明にかかる光コネクタは、前記アダプタを係止している前記係止部は、取り外し治具を用いてのみ開放可能であることを特徴としている。
【００１２】
このように構成された光コネクタにおいては、取り外し治具を用いなければ光コネクタはアダプタから取り外すことができないので、誤って光コネクタを取り外すのを防止することができる。
【００１３】
また、本発明にかかる光コネクタは、前記ハウジングは、前記取り外し治具によって前記光コネクタを把持するための把持部を有することを特徴としている。
【００１４】
このように構成された光コネクタにおいては、取り外し治具を用いて光コネクタをアダプタから取り外す際に、取り外し治具の把持部が光コネクタを把持しているので、光コネクタを落とすのを防止することができる。
【発明の効果】
【００１５】
本発明によれば、メカニカルスプライスにより光ファイバ心線と接合されるフェルールがフェルール保護部によって先端まで内包されているので、従来のようにぶつけたり落としたりして光コネクタの先端から突出しているフェルールを破損するのを防止することができるという効果が得られる。
【発明を実施するための最良の形態】
【００１６】
以下、本発明に係る実施形態を図面に基づいて詳細に説明する。図１（Ａ）は本発明の光コネクタに係る実施形態を示す斜め下方から見た分解斜視図、図１（Ｂ）は斜め上方から見た光コネクタの全体斜視図、図２は光コネクタの断面図、図３はメカニカルスプライスを示す断面図である。
【００１７】
図１から図３に示すように、本発明の実施形態である光コネクタ１０は、内蔵ファイバ１１ａを後端（図１から図３において右端）部から突出した状態で収納したフェルール１１と、フェルール１１の先端（図１から図３において左端）部を内包するフェルール保護部１２と、フェルール１１から突出した内蔵ファイバ１１ａ後端面と光ファイバ心線１３の光ファイバ１３ａ先端面とを接続するメカニカルスプライス１４と、メカニカルスプライス１４を覆うメカニカルスプライス保護部１５と、メカニカルスプライス保護部１５に外嵌するとともにアダプタ２０（図６参照）を係止する係止部１６ａを外側面に有するハウジング１６とを備えている。
【００１８】
図３に示すように、メカニカルスプライス１４は、基板１４ａと押え板１４ｂを有しており、基板１４ａのＶ溝１４ｃにおいて内蔵ファイバ１１ａと光ファイバ１３ａとが屈折率整合剤１４ｆを介して突き合わされている。そして、バネ部材からなるクランパ１４ｄにより基板１４ａと押え板１４ｂとを挟んで接続している。また、図１に示すように、基板１４ａと押え板１４ｂとの間には、内蔵ファイバ１１ａと光ファイバ心線１３の接続の際に基板１４ａと押え板１４ｂとの間を開けるために、くさび４６（図４参照）を挿入するくさび挿入口１４ｅが前後に２個設けられている。
なお、内蔵ファイバ１１ａと光ファイバ１３ａとの接続方法および接続に使用する組立用治具４０については後述する。
【００１９】
図１（Ａ）に示すように、メカニカルスプライス１４に被せてメカニカルスプライス１４を保護するメカニカルスプライス保護部１５の先端には、フェルール１１を内包して保護するためのフェルール保護部１２が設けられている。なお、ここではフェルール保護部１２をメカニカルスプライス保護部１５に一体的に設けてあるが、別体で設けて結合するようにしてもよい。これにより、フェルール１１は外部に露出する部分がなくなるので、搬送時や接続時にぶつけたり落としたりして破損するのを防止することができる。
また、メカニカルスプライス保護部１５の側面には、メカニカルスプライス１４のくさび挿入口１４ｅに対応して、くさび用窓１５ａが設けられている。
【００２０】
図１（Ａ）および（Ｂ）に示すように、ハウジング１６には、係止部としてハウジング１６の両外側面から外側に突出する突起１６ａが各々設けられている。これにより、容易にアダプタ２０に取付けることができるとともに、アダプタ２０とハウジング１６との間の隙間を両側面の突起１６ａで埋めてがたつきを抑制して係止することができる。突起１６ａの後方には、後述する取り外し治具６０を用いて光コネクタ１０をアダプタ２０から取り外す際に用いられる複数本の突条１６ｄが設けられている。
また、ハウジング１６の上面と下面の少なくとも一方にはアダプタ２０の凹部２１（図６参照）と嵌合する嵌合部１６ｂが設けられており、嵌合部１６ｂが、アダプタの凹部２１に嵌合することにより、アダプタ２０に対する光コネクタ１０の位置を確実に位置決めするとともに、光コネクタとアダプタとの間のがたつきを防止することができる。
【００２１】
なお、ハウジング１６において、ハウジング１６をメカニカルスプライス保護部１５に外嵌した際にメカニカルスプライス保護部１５に設けられているくさび用窓１５ｅに対応する位置、あるいはメカニカルスプライス１４のくさび挿入口１４ｅ、１４ｅに対応する位置には、くさび用開口１６ｃ、１６ｃが設けられている。
従って、メカニカルスプライス１４を内包したメカニカルスプライス保護部１５にハウジング１６を外嵌させた状態では、くさび用開口１６ｃおよびくさび挿入口１４ｅは、メカニカルスプライス１４のくさび挿入口１４ｅの位置で開口することになり、ハウジング１６の外側からくさび４６をくさび挿入口１４ｅ、１４ｅに挿入することができるようになっている。
【００２２】
図１（Ａ）および（Ｂ）に示すように、フェルール保護部１２の先端に、長手方向にスリット１７ａを有する円筒形状でフェルール１１に外嵌可能な割りスリーブ１７を設けるのが望ましい。
これにより、アダプタ２０を介して接続する相手側光コネクタ３０（図８参照）の相手側フェルール３１を割りスリーブ１７がガイドしてフェルール１１につき合わせるので、両フェルール１１、３１に内蔵されている内蔵光ファイバ１１ａおよび光ファイバ３１ａの心出しを容易に行うことができる。また、割りスリーブ１７によってもフェルール１１を保護することができる。
【００２３】
次に、メカニカルスプライス１４において光ファイバ１１ａ、３１ａの接続に用いる組立用治具４０およびこの組立用治具４０を用いた光ファイバ接続工程について説明する。
図４は組立用治具の分解斜視図、図５（Ａ）〜（Ｃ）は光コネクタの組立工程を示す断面図である。
【００２４】
図４に示すように、組立用治具４０は、本体４１とこの本体４１に対してスライドするスライドヘッド４２とを有している。
本体４１は、上部本体４１ａと下部本体４１ｂとから構成され内部空間４１ｃを有している。上部本体４１ａの上面には、光ファイバ１１ａ、３１ａの接続時にメカニカルスプライス１４を固定するための係止突起４３ａ、４３ｂが設けられており、係止突起４３ａの後方（図４において右方）には光ファイバ心線１３をガイドするガイドブロック４４が設けられている。ガイドブロック４４の上面には、光ファイバ心線１３をガイドする例えばＶ溝等のガイド溝４４ａが形成されている。また、係止突起４３ａ、４３ｂの間では、上部本体４１ａの上面に凹部４５が設けられており、係止されているメカニカルスプライス１４を容易に取り外すことができるようにしている。
【００２５】
上部本体４１の内部空間４１ｃには、メカニカルスプライス１４の基板１４ａと押え板１４ｂとの間に隙間を設けるためのくさび４６が設けられており、くさび止め４７とくさび取付材４８との間に取付けられている。くさび止め４７の前端面は、後方に向かって上方へ傾斜している傾斜面４７ａを有している。また、くさび止め４７には、上下に貫通する一対の貫通穴４７ｂ、４７ｂが設けられており、この貫通穴４７ｂを通ってくさび４６の先端４６ａが突出するようになっている。さらに、くさび止め４７には、くさび取付材４８を取付けるための係止穴４７ｃ、４７ｃが設けられている。一方、くさび取付材４８の上部には一対の係止片４８ａ、４８ａが設けられており、くさび止め４７の係止穴４７ｃ、４７ｃに嵌合することによりくさび４６をくさび止め４７に取付けるようになっている。これにより、くさび４６は、くさび止め４７と一体的に移動することになる。
なお、上部本体４１ａから前方に突出して一対のガイドレール４９ａ、４９ｂが設けられており、この一対のガイドレール４９ａ、４９ｂの間にはくさびガイド５１が設けられている。
【００２６】
下部本体４１ｂの四隅には上方に突出した係止アーム５２が設けられており、この係止アーム５２によって上部本体４１ａに係止されるようになっている。また、下部本体４１ｂの中央部には切欠き５３が設けられており、くさび取付材４８の下端面が切欠き５３内に露出しており、作業者が指で押圧できるようになっている。
従って、くさび取付材４８を本体４１内部に押し込むことによりくさび４６を上昇させ、くさび４６の先端４６ａを上部本体４１ａの上面に取付けられているメカニカルスプライス１４のくさび挿入口１４ｅに押し込んで、基板１４ａと押え板１４ｂとの間に隙間を設けることになる。
【００２７】
一方、スライドヘッド４２は、スライドヘッド本体４２ａとスライドヘッドカバー４２ｂを有しており、スライドヘッドカバー４２ｂに設けられている複数個（ここでは、例えば３個）の係止アーム５６をスライドヘッド本体４２ａの内部に押し込むことにより一体化するようになっている。スライドヘッド本体４２ａおよびスライドヘッドカバー４２ｂによって形成される内部空間には、後方へ突出するくさび解除部材５４が設けられている。くさび解除部材５４の後端面は、後方へ向かってあがる方向に傾斜した傾斜面５４ａが設けられており、本体４１側のくさび止め４７の傾斜面４７ａと平行になっている。
【００２８】
くさび解除部材５４は、本体４１側のくさびガイド５１に沿って本体４１内部に挿入可能となっており、スライドヘッド４２を本体４１側へスライドさせてくさび解除部材５４によってくさび止め４７を後方へ押すと、両斜面４７ａ、５４ａの作用によってくさび止め４７を下方へ移動させることになる。これにより、くさび４６を下方へ移動させ、メカニカルスプライス１４のくさび挿入口１４ｅから離脱させることになる。これに伴い、メカニカルスプライス１４においては、クランパ１４ｄによって基板１４ａと押え板１４ｂが密着されて、内蔵ファイバ１１ａと光ファイバ１３ａとを接続状態とする。
なお、スライドヘッド本体４２ａには、本体４１から突出しているガイドレール４９ａ、４９ｂが収容される空間５５が各々設けられており、各空間５５、５５の内部にはスプリング５７が設けられている。このため、スライドヘッド４２を本体４１側にスライドさせると、ガイドレール４９ａ、４９ｂの先端がスプリング５７を押し縮めるので、押すのを止めるとスライドヘッド４２は本体４１から離反して所定位置に戻るようになっている。
【００２９】
次に、図５（Ａ）〜（Ｃ）に基づいて光ファイバの接続工程を説明する。
まず、図５（Ａ）に示すように、組立用治具４０のスライドヘッド４２を本体４１から引き出した状態としておき、上部本体４１ａの上面に設けられている係止突起４３ａ、４３ｂにメカニカルスプライス１４を取付ける。このとき、メカニカルスプライス１４のくさび挿入口１４ｅを下側にして取付ける。そして、下部本体４１ｂの切欠き５３内のくさび取付材４８を本体４１内部に押し込んでくさび４６の先端４６ａをメカニカルスプライス１４のくさび挿入口１４ｅに押し込み、基板１４ａと押え板１４ｂとの間に隙間を設ける。この隙間に前方からフェルール１１の内蔵ファイバ１１ａの後端部を挿入し、基板１４ａのＶ溝１４ｃに位置決めする。
【００３０】
次に、図５（Ｂ）に示すように、ハウジング１６の中を通した光ファイバ心線１３の先端に露出している光ファイバ１３ａを、後方からメカニカルスプライス１４の基板１４ａと押え板１４ｂとの間の隙間に挿入して、基板１４ａのＶ溝１４ｃに位置決めする。このとき、光ファイバ１３ａの先端面とフェルール１１の内蔵ファイバ１１ａの後端面とを面接触させるようにする。また、必要ならば、両端面間に屈折率整合剤１４ｆ（図３参照）を塗布しておく。
【００３１】
そして、スライドヘッド４２を本体４１側にスライドさせて、スライドヘッド４２のくさび解除部材５４のより本体４１側のくさび止め４７を下降させ、くさび４６をメカニカルスプライス１４のくさび挿入口１４ｅから抜き去る。これにより、メカニカルスプライス１４の基板１４ａと押え板１４ｂはクランパ１４ｄにより密着され、内蔵ファイバ１１ａと光ファイバ１３ａが接続されることになる。
以上のようにして、内蔵ファイバ１１ａと光ファイバ１３ａとの接合が完了したら、スライドヘッド４２から手を離すと、図５（Ｃ）に示すように、スプリング５７がガイドレール４９ａ、４９ｂを押して、スライドヘッド４２を元の所定位置に戻る。
【００３２】
なお、光コネクタ１０は、前述したようにして製造されたメカニカルスプライス１４およびフェルール１１を内包するように、メカニカルスプライス保護部１５を前方から被せるとともに後方からハウジング１６を被せて、メカニカルスプライス保護部１５とハウジング１６とを一体化することにより製造することができる。
【００３３】
次に、図６から図８に基づいて、アダプタ２０の一例について説明する。図６はアダプタの斜視図、図７はアダプタの分解斜視図、図８はアダプタを介して光コネクタと相手側光コネクタを接合した状態を示す断面図である。
図６および図７に示すように、このアダプタ２０は本体２２およびマスク部材２３を有しており、本体２２後部の開口２２ａから前述した光コネクタ１０が挿嵌される。このとき、ハウジング１６に設けられている嵌合部１６ｂがアダプタ本体２２の後端部に設けられている凹部２１に嵌入して、位置決めされることになる。また、図８に示すように、アダプタ本体２２の後端部内面には、光コネクタ１０のハウジング１６に設けられている突起１６ａを係止する係止アーム２４が設けられており、係止アーム２４先端の係止爪２４ａによって光コネクタ１０の突起１６ａを係止して脱落しないようにする。
なお、光コネクタ１０をアダプタ２０から取り外すための取り外し治具６０および取り外し方については後述する。
【００３４】
図６に示すように、アダプタ本体２２の前方の開口２２ｂには、左右一対の扉２７、２４が設けられており、相手側光コネクタ３０が取り付けられていないときには、バネ（図示省略）によって開口２２ｂを閉じる方向に付勢されている。これにより、埃等の進入を防止している。また、アダプタ本体２２の前端部上下面には、マスク部材２３取付用の凹部２５が設けられている。また、図８に示すように、アダプタ本体２２の中央部内面には、相手側光コネクタ３０を係止するための取り付けアーム２８が設けられている。
【００３５】
一方、図６および図７に示すように、マスク部材２３には、相手側光コネクタ３０を挿嵌するための開口２３ａが設けられており、上下両面には後方に向かって取付アーム２６が設けられている。従って、マスク部材２３をアダプタ本体２２の前方から押し付けて、取り付けアーム２６をアダプタ本体２２の凹部２５に嵌合させることによりアダプタ２０を形成することができる。
また、図８に示すように、相手側光コネクタ３０をアダプタ２０の前面の開口２３ａから挿入して、扉２７、２７を押し開きながら押し込む。相手側光コネクタ３０の先端部外側面に設けられている係止突起３２がアダプタ２０の取付アーム２８先端の係止爪２８ａによって係止されたら接続が完了する。
【００３６】
なお、本光コネクタ１０にはフェルール１１を相手側フェルール３１に押し付けるためのバネ部材が設けられていないので、相手側光コネクタ３０に設けられているバネ部材（図示省略）によって相手側フェルール３１をフェルール１１に押し付けて接続することになる。
【００３７】
次に、アダプタ２０に取付けられている光コネクタ１０を取り外す際に用いる取り外し治具６０および取り外し方について説明する。
図９（Ａ）は取り外し治具を上方から見た斜視図、（Ｂ）は下方から見た斜視図、図１０は取り外し治具と光コネクタとの把持部を示す拡大斜視図、図１１（Ａ）〜（Ｃ）は取り外し治具を用いて光コネクタをアダプタから取り外す工程を示す斜視図、図１２（Ａ）は取り外し治具を途中まで挿入した状態を示す断面図、（Ｂ）は取り外し治具の先端を完全に挿入した状態を示す断面図である。
【００３８】
図９（Ａ）および（Ｂ）に示すように、取り外し治具６０は、底板６１とこの底板６１の左右両端に垂設された両側壁６２、６２とから断面コ字状に形成されており、両側壁６２、６２の先端部６２ａが底板６１の前端から前方に突出している。また、両側壁６２、６２の中央部は、作業者が取り外し治具６０を持ちやすいように凹部６２ｃが各々設けられている。
図１０にも示すように、両側壁６２、６２の先端部内側面には、取り外す光コネクタ１０を把持するための把持部として複数本（ここでは例えば２本）の係止溝６２ｂが凹設されている。この係止溝６２ｂによって光コネクタ１０のハウジング１６の外側面に設けられている突条１６ｄが係止され、光コネクタ１０を把持するので、光コネクタ１０がアダプタ２０から取り外した際に、落とすのを防止することができる。
【００３９】
次に、取り外し工程について説明する。
図１１（Ａ）に示すように、アダプタ２０に取付けられている光コネクタ１０の後方（図１１において右方）で、底板６１を下にし、光ファイバ１３が両側壁６２、６２間に位置するように取り外し治具６０を配置する。
図１１（Ｂ）に示すように、取り外し治具６０の両側壁６２、６２間に光コネクタ１０が入るようにして、取り外し治具６０の先端部６２ａを光コネクタ１０とアダプタ２０との間に挿入する（図１２（Ａ）参照）。さらに取り外し治具６０の先端部６２ａを押し込むと、図１２（Ｂ）に示すように、取り外し治具６０の先端部６２ａが光コネクタ１０のハウジング１６とアダプタ２０の係止アーム２４の先端の係止爪２４ａとの間に挿入され、係止爪２４ａを図１２（Ｂ）中矢印Ａで示す方向へ移動させる。このとき、係止爪２４ａの内側がハウジング１６の突起１６ａの外側よりもさらに外側まで移動しなければ解除されないため、取り外し治具６０の側壁６２の厚さは、ハウジング１６の突起１６ａの高さよりも厚くする必要がある。
これにより、係止アーム２４がハウジング１６の突起１６ａから離脱するので、光コネクタ１０はアダプタ２０から開放される。
【００４０】
このとき、同時に、図１２（Ｂ）に示すように、取り外し治具６０の先端部６２ａはアダプタ２０の係止アーム２４によって内側に押圧されて係止溝６２ｂにハウジング１６に設けられている突条１６ｄが嵌合しており、光コネクタ１０は取り外し治具６０に把持されることになる。このため、図１１（Ｃ）に示すように、取り外し治具６０をアダプタ２０から離脱させると光コネクタ１０はアダプタ２０から取り外されるが、光コネクタ１０は取り外し治具６０によって把持されているので落下するのを防止することができる。
なお、図１３に示すように、取り外し治具６０は前述した組立用治具４０の内部に収容できるようにするのがよい。
【００４１】
以上、前述した光コネクタ１０によれば、メカニカルスプライス１４により光ファイバ心線１３の光ファイバ１３ａ先端面と接合される内蔵ファイバ１１ａ後端面を内蔵するフェルール１１は、フェルール保護部１２によって先端まで内包されているので、フェルール１１は外部に露出していないことになる。このため、運搬時や搬送時にフェルール１１をぶつけて破損するのを防止することができる。
【００４２】
なお、本発明の光コネクタは、前述した実施形態に限定されるものでなく、適宜な変形，改良等が可能である。
例えば、前述した実施形態において、メカニカルスプライス保護部１５とハウジング１６とを別体としたが、一体で形成するようにしてもよい。
【産業上の利用可能性】
【００４３】
以上のように、本発明に係る光コネクタは、メカニカルスプライスにより光ファイバ心線と接合されるフェルールがフェルール保護部によって先端まで内包されているので、従来のような光コネクタの先端から突出しているフェルールを破損するのを防止することができるという効果を有し、現地でアダプタを介して相手側光ファイバと結線することができる光コネクタ等として有用である。
【図面の簡単な説明】
【００４４】
【図１】（Ａ）は本発明の光コネクタに係る実施形態を示す斜め下方から見た分解斜視図である。  （Ｂ）は斜め上方から見た光コネクタの全体斜視図である。
【図２】光コネクタの断面図である。
【図３】メカニカルスプライスを示す断面図である。
【図４】組立用治具の分解斜視図である。
【図５】（Ａ）〜（Ｃ）は光コネクタの組立工程を示す断面図である。
【図６】アダプタの斜視図である。
【図７】アダプタの分解斜視図である。
【図８】アダプタを介して光コネクタと相手側光コネクタを接合した状態を示す断面図である。
【図９】（Ａ）は取り外し治具を上方から見た斜視図である。  （Ｂ）は下方から見た斜視図である。
【図１０】取り外し治具と光コネクタとの把持部を示す拡大斜視図である。
【図１１】（Ａ）〜（Ｃ）は取り外し治具を用いて光コネクタをアダプタから取り外す工程を示す斜視図である。
【図１２】（Ａ）は取り外し治具を途中まで挿入した状態を示す断面図である。  （Ｂ）は取り外し治具の先端を完全に挿入した状態を示す断面図である。
【図１３】取り外し治具を組立用治具の内部に収納する状態を示す斜視図である。
【図１４】従来の光コネクタを示す断面図である。
【符号の説明】
【００４５】
１０  光コネクタ
１１ａ  内蔵ファイバ
１１  フェルール
１２  フェルール保護部
１３  光ファイバ心線
１３ａ  光ファイバ
１４  メカニカルスプライス
１５  メカニカルスプライス保護部
１６  ハウジング
１６ａ  突起（係止部）
１６ｂ  嵌合部
１７  割りスリーブ
１７ａ  スリット
２０  アダプタ
２１  凹部
６０  取り外し治具
６２ｂ  係止溝（把持部）
【図１】
2006293104.tif 000003
【図２】
2006293104.tif 000004
【図３】
2006293104.tif 000005
【図４】
2006293104.tif 000006
【図５】
2006293104.tif 000007
【図６】
2006293104.tif 000008
【図７】
2006293104.tif 000009
【図８】
2006293104.tif 000010
【図９】
2006293104.tif 000011
【図１０】
2006293104.tif 000012
【図１１】
2006293104.tif 000013
【図１２】
2006293104.tif 000014
【図１３】
2006293104.tif 000015
【図１４】
2006293104.tif 000016